(57)【特許請求の範囲】
【請求項１】
ディジタル放送信号を受信して、選択されたチャンネルの映像信号および音声信号を出力するディジタル放送受信装置において、
装置本体に対する電源操作の入力を受け付ける電源操作手段と、
装置本体が動作中時に点灯し、装置本体が停止時に消灯する動作表示ランプと、
装置本体停止時に前記電源操作の入力を受け付けた場合に起動シーケンスの実行を開始し、該起動シーケンス実行中に前記電源操作の入力を受け付けると、前記起動シーケンスを停止するとともに、予め定めた設定時間経過するまでの間に前記電源操作の入力を受け付けた回数をカウントし、そのカウント値が奇数であれば前記終了シーケンスの実行を開始し、反対に前記カウント値が偶数であれば前記起動シーケンスの実行を開始する制御手段と、を備え、
前記起動シーケンス実行中に前記動作表示ランプを点滅させ、前記終了シーケンス実行中に前記動作表示ランプを消灯することを特徴とするディジタル放送受信装置。
【請求項２】
ディジタル放送信号を受信して、選択されたチャンネルの映像信号および音声信号を出力するディジタル放送受信装置において、
装置本体に対する電源操作の入力を受け付ける電源操作手段と、
装置本体停止時に前記電源操作の入力を受け付けた場合に起動シーケンスの実行を開始し、該起動シーケンス実行中に前記電源操作の入力を受け付けると、前記起動シーケンスを停止するとともに、予め定めた設定時間経過するまでの間に前記電源操作の入力を受け付けた回数をカウントし、そのカウント値に応じて前記起動シーケンスまたは終了シーケンスのいずれかの実行を開始する制御手段と、を備えたことを特徴とするディジタル放送受信装置。
【請求項３】
前記制御手段は、前記カウント値が奇数であれば前記終了シーケンスの実行を開始し、反対に前記カウント値が偶数であれば前記起動シーケンスの実行を開始することを特徴とする請求項２に記載のディジタル放送受信装置。
【請求項４】
装置本体が動作時に点灯し、装置本体が停止時に消灯する動作表示ランプを備え、
前記制御手段は、前記起動シーケンス実行中に前記動作表示ランプを点滅させ、前記終了シーケンス実行中に前記動作表示ランプを消灯させることを特徴とする請求項２または請求項３に記載のディジタル放送信号受信装置。
【発明の詳細な説明】
【０００１】
【発明の属する技術分野】
この発明は、ディジタル放送信号を受信して、選択されたチャンネルの映像信号および音声信号を出力するディジタル放送受信装置に関するものである。
【０００２】
【従来の技術】
ディジタル放送受信装置は、アンテナを介してチューナでディジタル放送信号を受信すると、ユーザにより選択されたチャンネルのディジタル放送信号を抽出し、デコーダで映像データと音声データとに再生する。再生された映像データと音声データとは、エンコーダに入力され、映像を表示する表示器の仕様に応じた所定形式の映像信号と音声信号とに変換して出力する。表示器は、入力された映像信号に基づいて、表示画面に映像を表示し、スピーカから音声を出力する。
【０００３】
このようなディジタル放送受信装置では、装置の起動時に、デコーダ等の装置内各ブロックに備えられたＩＣの初期化などの起動シーケンスを実行するため、これらの処理に時間が掛かり、１０秒〜１分という、アナログ放送受信装置と比較して長い待ち時間を要することとなる。さらには、選択されているチャンネルのディジタル放送信号をデコードする際に誤り訂正等の処理を行うため、映像が出力されるまでにさらに長時間が必要となる。以下、この時間を待ち時間という。
【０００４】
この待ち時間に、ユーザに音声や画像を出力するディジタル放送受信装置が開示されている（特許文献１参照。）。
【０００５】
【特許文献１】
特許第３２７５８７８号公報
【０００６】
【発明が解決しようとする課題】
ところが、前述のような従来のディジタル放送受信装置では、起動シーケンスが開始されてからの待ち時間に、画像や音声を出力することにより、ユーザの不快感を緩和する手段は備えられているが、途中で、操作命令を割り込ませることはできない。例えば、ユーザが装置本体の電源停止中に誤ってリモコン等の電源操作ボタンを押した場合、起動シーケンスの実行が開始されてしまう。このように、一旦起動シーケンスが実行されると、再度電源操作ボタンを押しても即座に電源を停止することができなかった。このため、ユーザは、一旦電源操作ボタンを押してしまえば、所定の待ち時間に亘り、装置が起動するのを待たなければならず、装置の起動が完了して映像が出力された後、すなわち装置が通常の映像再生を行うまで、電源を停止することができなかった。
【０００７】
この発明の目的は、起動シーケンス実行中であっても、電源操作入力を行うことができるディジタル放送受信装置を構成することにある。
【０００８】
【課題を解決するための手段】
この発明に示すディジタル放送受信装置は、装置本体に対する電源操作の入力を受け付ける電源操作手段と、
装置本体停止時に前記電源操作の入力を受け付けた場合に起動シーケンスの実行を開始し、該起動シーケンス実行中に前記電源操作の入力を受け付けると、前記起動シーケンスを停止するとともに、予め定めた設定時間経過するまでの間に前記電源操作の入力を受け付けた回数をカウントし、そのカウント値に応じて前記起動シーケンスまたは終了シーケンスのいずれかの実行を開始する制御手段と、を備えたことを特徴としている。
【０００９】
この構成では、装置本体の電源停止状態、すなわち、メイン電源に電力は供給されていても装置内の各部ブロックに動作電力が供給されていない状態において、リモコンや装置本体に取り付けられている電源操作ボタンをユーザが操作すると、この操作命令が制御手段に入力されて起動シーケンスが開始される。そして、起動シーケンスの実行中に、再度、ユーザにより電源操作ボタンが操作されると、制御手段は、起動シーケンスの実行を途中停止するとともに、予め定めた設定時間経過するまでの間に前記電源操作ボタンが操作された回数をカウントし、そのカウント値に応じて起動シーケンスまたは終了シーケンスのいずれかの実行を開始する。
【００１０】
また、この発明に示すディジタル放送受信装置は、前記カウント値が奇数であれば前記終了シーケンスの実行を開始し、反対に前記カウント値が偶数であれば前記起動シーケンスの実行を開始することを特徴としている。
【００１１】
この構成では、電源操作ボタンが操作された回数をカウントしたカウント値が奇数であれば終了シーケンスの実行を開始し、偶数であれば起動シーケンスの実行を開始する。
を再開する。
【００１２】
また、この発明に示すディジタル放送受信装置は、装置本体が動作時に点灯し、装置本体が停止時に消灯する動作表示ランプを備え、起動シーケンス実行中に動作表示ランプを点滅させ、終了シーケンス実行中に動作表示ランプを消灯することを特徴としている。
【００１３】
この構成では、起動シーケンス実行中に、装置本体正面に取り付けられた電源ランプ等の動作表示ランプを点滅させ、終了シーケンス実行中に、電源ランプ等の動作表示ランプを消灯させることで、ユーザに現在のシーケンス実行状況を示す。
【００１４】
【発明の実施の形態】
本発明の実施形態に係るディジタル放送受信装置について、図を参照して説明する。
図１は、本発明の実施形態に係るディジタル放送受信装置の主要部を示すブロック図である。
【００１５】
また、図２は、電源操作入力があった場合の制御部の実行を示すフローチャートである。
【００１６】
図１に示すように、ディジタル放送受信装置１は、チューナ２、デコーダ３、エンコーダ４、電源部５、制御部７、本発明の動作表示ランプに対応するＬＥＤ８、および、本発明の電源操作手段に対応する電源操作ボタン６１，９１を備える操作部６とリモコン９とから構成される。また、操作部６にはリモコン９からの操作信号を受信する受光部６２が備えられている。
また、チューナ２にはアンテナ２０が接続されており、エンコーダ４にはテレビジョン受像器等の表示器２１が接続されている。
【００１７】
アンテナ２０でディジタル放送信号を受信してから、映像および音声を表示器２１で出力するまでの動作を次に示す。
【００１８】
アンテナ２０で受信されたディジタル放送信号は、チューナ２に入力され、選択されたチャンネルの放送信号のみが抽出される。ここで、チャンネルの選択は、本体に備えられた操作部６またはリモコン９を用いてユーザが行い、操作部６またはリモコン９からのチャンネル選択信号が制御部７に入力される。制御部７は前記チャンネル選択信号に基づいて、選択されたチャンネルのディジタル放送信号を抽出するようにチューナ２を制御する。
【００１９】
チューナ２で受信、抽出されたチャンネルのディジタル放送信号は、デコーダ３に入力される。デコーダ３は、入力されたディジタル放送信号をデコードする。この際、入力されたディジタル放送信号を正確にデコードできるように、誤り符号訂正等の処理が行われた後にデコードされる。デコードされることで、ディジタル放送信号は、映像データと音声データと番組情報等の付属情報とに分離され、映像データと音声データとがエンコーダ４に出力される。この場合、映像データと音声データとをそれぞれ個別に出力してもよく、映像データと音声データとを所定形式のディジタルデータ（例えば、トランスポートストリーム）に変換して出力してもよい。
【００２０】
エンコーダ４は、入力された映像データと音声データ、またはディジタルデータを、エンコーダ４が接続されている表示器２１の仕様に応じ、例えば表示器２１がアナログ方式のテレビジョン受像器であれば、アナログ方式の映像信号と音声信号とにエンコードして、表示器２１に出力する。
【００２１】
また、エンコーダ４にはＯＳＤ画像出力回路が備えられており、制御部７から所定のＯＳＤ画像信号が入力されれば、映像信号の所定ラインに重畳して表示器２１に出力する。
【００２２】
なお、制御部７は、装置が動作中にはＬＥＤ８を点灯させ、装置が停止中にはＬＥＤ８を消灯するように制御する。これにより、ユーザは装置が動作中であるか停止中であるかを視認することができる。
【００２３】
次に、このようなディジタル放送受信装置の起動および停止について、図２を参照して説明する。
装置本体が電源停止状態にある時に、ユーザがリモコン９または装置本体の操作部６に備えられた電源操作ボタン９１，６１を押すと電源操作信号が制御部７に入力され（ｓ１）、制御部７は、メモリに記憶されている起動シーケンスを読み出し、そのプログラムの実行を開始する（ｓ２）。起動シーケンスが実行されると、装置内に備えられたデコーダ３等の各ブロックのＩＣの初期化、必要プログラムの読み出し、メモリへの一時記憶、放送信号の受信、デコード等が行われる。さらに、制御部７は、ＬＥＤ８を点滅させ、エンコーダ４のＯＳＤ出力回路を介して、表示器２１に起動中であることを示す画像を出力する。
【００２４】
この起動シーケンス実行中に、ユーザが再度、電源操作ボタン６１，９１を操作すると、制御部７は起動シーケンスの実行を停止する（ｓ３→ｓ４）。また、制御部７は、予め定めた設定時間経過するまでの間に、入力される電源操作信号の回数（電源操作数）をカウントする（ｓ５→ｓ６）。そして、カウントした電源操作数が奇数であれば、終了シーケンスの実行を開始する（ｓ７→ｓ８）。終了シーケンスが実行されると、制御部７は、現在受信しているチャンネルの記憶等の所定の終了処理を制御し、これら終了処理が完了すると終了シーケンスを完了させ、電源部５から装置内各ブロックへの電源供給を停止させる（ｓ９→ｓ１０）。すなわち、メイン電源は入力されているが起動していない状態（電源停止状態）となる。そして、制御部７は、この終了シーケンスの実行と同時にＬＥＤ８を消灯させる。
【００２５】
なお、起動シーケンスの実行中に電源操作入力がなければ、起動シーケンスを最後まで実行し、完了する（ｓ３→ｓ１２）。起動シーケンスが完了することで、前述のように、アンテナで入力されたディジタル放送信号に基づいて所定形式の映像信号と音声信号とが生成される映像再生処理が行われ、ユーザは所望の番組を視聴することができる（ｓ１３）。
【００２６】
一方、電源操作数が偶数であった場合、制御部７は起動シーケンスの実行を再開する。ここで、起動シーケンスは、電源操作入力がされて停止した処理から再開されるのではなく、起動シーケンスの最初の処理から再度実行される（ｓ７→ｓ１１）。起動シーケンス再開後に再度電源操作入力がなければ、起動シーケンスを最後まで実行して完了し、前述の映像再生処理が行われ、ユーザは所望の番組を視聴することができる（ｓ３→ｓ１２→ｓ１３）。
【００２７】
そして、ユーザが番組視聴中に、リモコン９または操作部６の電源操作ボタン９１，６１を操作すると（ｓ１４）、制御部７は終了シーケンスの実行を開始、完了して、電源部５から各ブロックへの電源供給を停止する（ｓ８→ｓ９→ｓ１０）。
【００２８】
このような構成とすることにより、装置起動中にユーザがリモコンや装置本体の操作部を再度押すことで、起動シーケンスが完了するのを待つことなく、装置の電源を停止させることができる。すなわち、ユーザが間違えて、電源操作ボタンを押してしまっても、すぐに電源を停止することができる。
【００２９】
また、装置起動中に、例えば、誤って電源操作ボタンを押してしまった後、再度起動させたいために電源操作ボタンを押す場合のように、起動シーケンス実行中にユーザが複数回電源操作ボタンを押しても、その操作数がカウントされ、このカウント数に基づいて、起動シーケンスまたは終了シーケンスが実行されるので、ユーザの意図通りの起動、終了操作を行うことができる。
【００３０】
また、起動中にＬＥＤを点滅させ、終了中にＬＥＤを消灯させることにより、装置本体が起動中であるか終了中であるかをユーザに視認させることができる。
【００３１】
なお、本実施形態では、ディジタル放送受信装置について説明したが、前述のような長い起動時間を要する機器についても、本発明の構成を適用することができる。
【００３２】
【発明の効果】
この発明によれば、起動シーケンス実行中にユーザから電源操作が入力された場合に、該電源操作に基づいて起動シーケンスを再開するか、終了シーケンスを開始するかを選択して実行するので、ユーザは、誤って電源操作を行っても、起動シーケンスの完了を待つことなく、所望の電源操作を行うことができる。
【００３３】
また、この発明によれば、起動シーケンス実行中に電源用ランプを点滅させ、終了シーケンス実行中に電源ランプを消灯することにより、前述のような電源操作を行っても、ユーザは装置が現在起動中であるのか終了中であるのかを容易に認識することができる。
【図面の簡単な説明】
【図１】本発明に係るディジタル放送受信装置の主要部を示すブロック図
【図２】電源操作の入力に対する制御部の動作を示すフローチャート
【符号の説明】
１−ディジタル放送受信装置
２−チューナ
３−デコーダ
４−エンコーダ
５−電源部
６−操作部
６１−操作部６の電源操作ボタン
６２−操作部６の受光部
７−制御部
８−電源用ＬＥＤ
９−リモコン
９１−リモコン９の電源操作ボタン
２０−アンテナ
２１−表示器
【図１】
0003693112.tif 000002
【図２】
0003693112.tif 000003